(57)【要約】【課題】  皮膚内部に存在する毛根に光を効率的に到達しやすくすることができる光照射装置及びかみそり器を提供する。【解決手段】  光を発する発光管１と、発光管１から発せられた光のうちの所定の波長の光を透過する光学フィルター２と、発光管１から発せられた光を光学フィルター側に反射する反射ミラーを含むハウジング３とを有し、発光管１が非直線形状である。【選択図】      図１
2013127850.tif 000002
【特許請求の範囲】
【請求項１】
光を発する発光管と、
前記発光管から発せられた光のうちの所定の波長の光を透過する光学フィルターと、
前記発光管から発せられた光を前記光学フィルター側に反射する反射ミラーとを有し、
前記発光管が非直線形状であることを特徴とする光照射装置。
【請求項２】
前記発光管は、波形形状に形成されていることを特徴とする請求項１に記載の光照射装置。
【請求項３】
前記発光管は、螺旋形状であることを特徴とする請求項１に記載の光照射装置。
【請求項４】
前記発光管は、棒状管を屈曲させて立体成形されてなることを特徴とする請求項１に記載の光照射装置。
【請求項５】
前記発光管は、波形形状、螺旋形状、屈曲形状を組み合わせてなることを特徴とする請求項１に記載の光照射装置。
【請求項６】
前記請求項１乃至請求項５の何れか一項に記載の光照射装置を備えたかみそり器。
【発明の詳細な説明】
【技術分野】
【０００１】
本発明は、所望の身体の部位に光を照射する光照射装置及びかみそり器に関する。
【背景技術】
【０００２】
従来より、抑毛等を目的として、身体に光照射を行う技術が知られている。この光照射装置としては、例えば特許文献１に記載されたものが知られている。この特許文献１には、デジタルビデオディスク（ＤＶＤ）の貼り合せ装置に光源として使うフラッシュランプに関する技術が記載されている。このフラッシュランプは、発光管が直管型、円管状、渦巻形状のものが記載されている。
【先行技術文献】
【特許文献】
【０００３】
【特許文献１】特開2005-11781号公報
【発明の概要】
【発明が解決しようとする課題】
【０００４】
しかしながら、上述した技術において、ランプが棒状の場合、棒の長手方向への光の拡散が少ない。また、光照射を抑毛等に利用しようとした場合に、毛の生え方次第（例、癖毛）では、皮膚内部に存在する毛根に光が到達しないという問題がある。
【０００５】
そこで、本発明は、上述した実情に鑑みて提案されたものであり、皮膚内部に存在する毛根に光を効率的に到達しやすくすることができる光照射装置及びかみそり器を提供することを目的とする。
【課題を解決するための手段】
【０００６】
本発明の第１の態様に係る光照射装置は、光を発する発光管と、前記発光管から発せられた光のうちの所定の波長の光を透過する光学フィルターと、前記発光管から発せられた光を前記光学フィルター側に反射する反射ミラーとを有し、前記発光管が非直線形状であることを特徴とする。
【０００７】
本発明の第２の態様に係る光照射装置は、上記第１の態様の光照射装置であって、前記発光管、波形形状に形成されていることを特徴とする。
【０００８】
本発明の第３の態様に係る光照射装置は、上記第１の態様の光照射装置であって、前記発光管は、螺旋形状であることを特徴とする。
【０００９】
本発明の第４の態様に係る光照射装置は、上記第１の態様の光照射装置であって、前記発光管は、棒状管を屈曲させて立体成形されてなる。
【００１０】
本発明の第５の態様に係る光照射装置は、上記第１の態様の光照射装置であって、前記発光管は、波形形状、螺旋形状、屈曲形状を組み合わせてなることを特徴とする。
【００１１】
本発明の第６の態様に係るかみそり器は、上記第１の態様乃第５の態様の何れかに記載の光照射装置を備えたものである。
【発明の効果】
【００１２】
本発明によれば、発光管を非直線形状としたので、皮膚内部に存在する毛根に光を効率的に到達しやすくすることができる。
【図面の簡単な説明】
【００１３】
【図１】本発明の実施形態として示す光照射装置の構成を示すブロック図である。
【図２】本発明の実施形態として示す光照射装置における発光管の構成を示す正面図である。
【図３】本発明の実施形態として示す光照射装置の発光管の構成を示す図であり、（ａ）は正面図、（ｂ）は側面図である。
【図４】本発明の実施形態として示す光照射装置における発光管の他の構成を示す正面図である。
【図５】本発明の実施形態として示す光照射装置の発光管の他の構成を示す図であり、（ａ）は正面図、（ｂ）は側面図である。
【図６】本発明の実施形態として示す光照射装置における発光管の他の構成を示す正面図である。
【図７】本発明の実施形態として示す光照射装置の発光管の他の構成を示す図であり、（ａ）は正面図、（ｂ）は側面図である。
【図８】本発明の実施形態として示す光照射装置における発光管の他の構成を示す正面図である。
【図９】本発明の実施形態として示す光照射装置の発光管がハウジングに収容された様子を示す正面図である。
【図１０】本発明の実施形態として示す光照射装置をかみそり器に適用した構成を示す斜視図である。
【図１１】本発明の実施形態として示す光照射装置をかみそり器に適用した他の構成を示す斜視図である。
【図１２】比較例として示す発光管を示す側面図である。
【図１３】本発明の実施形態として示す光照射装置による効果を説明する図である。
【発明を実施するための形態】
【００１４】
以下、本発明の実施の形態について図面を参照して説明する。
【００１５】
本発明の実施形態として示す光照射装置は、例えば図１に示すように構成される。
【００１６】
この光照射装置は、発光管１、光学フィルター２、ハウジング３を有する。また、この光照射装置は、パルス点灯制御部４、スイッチ５、タイマ６、及び、電源７を含む。発光管１、光学フィルター２及びハウジング３は、光照射装置の筐体が使用者によって把持される。光照射装置は、身体の部位（対象部位）に発光管１を向ける。この状態で、光照射装置は、発光管１から発せられた光を対象部位に向けて照射する。
【００１７】
発光管１は、所定の波長を含む光を発する光源である。この所定波長は、例えば抑毛効果がある波長である。この発光管１は、例えばキセノンフラッシュランプが使用可能である。発光管１は、近赤外光の波長として３００ｎｍ〜１２００ｎｍ含む光を発する。発光管１は、図１に示したように、その形状が非直線形状である。この発光管１は、棒状の発光管を屈曲させて作成される。これにより発光管１は、棒状形状の発光管よりも光の拡散範囲を広くした光を発することができる。
【００１８】
光学フィルター２は、発光管１の光照射側に設けられている。光学フィルター２は、発光管１から発せされた波長のうち所定波長を含む光を透過する。ハウジング３は、発光管１及び光学フィルター２を収容する。
【００１９】
パルス点灯制御部４は、発光管１のための駆動基板１ａに接続されている。パルス点灯制御部４は、発光管１の点灯を制御する。パルス点灯制御部４は、発光管１がパルス点灯するよう、１パルスのオン期間、パルス間隔を決定する周波数を制御する。
【００２０】
スイッチ５は、発光管１の光照射を、パルス点灯と通常点灯との間で切り換える。スイッチ５は、発光管１をパルス点灯させる場合には、可動部５ｃをパルス側端子５ａに接触させる。スイッチ５は、発光管１を通常点灯させる場合には、可動部５ｃを通常側端子５ｂに接触させる。
【００２１】
タイマ６は、発光管１の点灯時間に応じてオンオフ動作する。
【００２２】
駆動基板１ａ、パルス点灯制御部４、スイッチ５、及びタイマ６は、発光管１を駆動させるための駆動部として機能する。
【００２３】
電源７は、発光管１を点灯させるための電圧を駆動基板１ａに供給する。この電源７の電源供給は、タイマ６によって開始及び停止される。
【００２４】
なお、光照射装置は、その光照射の目的に応じた波長を対象部位に照射することができる。例えば、所定波長よりも長い波長の光を抑毛効果を期待して対象部位に照射してもよい。また、所定波長よりも短い波長の光を美肌効果を期待して対象部位に照射してもよい。この所定波長は、例えば、５００〜６００ｎｍ程度に設定できる。このように、所望の波長を含む光を対象部位に照射する場合、当該波長の光のみを透過するよう光学フィルター２を選択することとなる。
【００２５】
このような光照射装置は、例えば図２に示すような発光管１を備える。この発光管１は、例えば図３に示すように、ハウジング３に収容される。ガラス管１１が、光照射方向を凸形状にした非線形形状となっている。このガラス管１１内には、ガラス管１１の形状に沿って、ガラス管１１の底面にトリガー電極１２が配置されている。また、ガラス管１１内のガスに電圧を与える陽極１４ａ、陰極１４ｂは、ガラス管１１の両端に配置されている。更に、ガラス管１１の略中央部に、チップ１３が取り付けられている。
【００２６】
図３（ａ）に示すように、ガラス管１１は、凸側に光学フィルター２が配置されている。図３（ｂ）に示すように、ハウジング３の底面は、凹形状となっている。このハウジング３の内壁は、ミラーとなっている。
【００２７】
光照射装置は、発光管１を発光させると、そのガラス管１１の形状によって、広角に光が発散される。すなわち、図５（ａ）に示すように光学フィルター２に対して垂直方向に伸びる光と、光学フィルター２に対して斜め方向に広がる光とを出射できる。また、ガラス管１１から出射した光のうち、ハウジング３側に発せられた光は、ハウジング３の内面におけるミラーによって反射され、光学フィルター２側に導かれる。
【００２８】
また、この光照射装置におけるガラス管１１の他の構成としては、図４及び図５に示すようなものであってもよい。図４及び図５（ａ）に示す光照射装置は、ガラス管１１が波形となっている。トリガー電極１２は、ガラス管１１の底面に沿って配置されている。また、図５（ｂ）に示すように、ガラス管１１の底面側には、内壁がミラーとされたハウジング３となっている。このような光照射装置は、発光管１を点灯させると、その光の進行方向が様々な方向に広がる。すなわち、上述した図２及び図３に示したガラス管１１と比較して、曲線部分が多いために、当該ガラス管１１の横方向に広がる光の成分が多くなる。
【００２９】
更に、図６及び図７（ａ）に示す光照射装置は、ガラス管１１を、螺旋形状としている。このガラス管１１は、その螺旋形状に合わせてトリガー電極１２を配置している。また、図７（ｂ）に示すように、ガラス管１１の底面側には、内壁がミラーとされたハウジング３となっている。このような光照射装置は、発光管１を点灯させると、その光の進行方向が様々な方向に広がる。すなわち、上述した図４及び図５のガラス管１１と比較して、ガラス管１１の曲線部分が多いために、当該ガラス管１１の横方向に広がる光の成分が多くなる。
【００３０】
更に、図８に示す光照射装置は、ガラス管１１を、棒状管を屈曲させて立体成型している。このガラス管１１は、その立体形状に合わせてトリガー電極１２を配置している。また、図９に示すように、ガラス管１１を、球状のハウジング３内に配置している。ガラス管１１は、陽極１４ａ、陰極１４ｂ側がハウジング３の底面となるよう配置される。また、球状のハウジング３の上部には、当該形状に合わせて光学フィルター２を貼り付けている。ハウジング３のうち、光学フィルター２を貼り付けていない内壁はミラーとなっている。このような光照射装置は、発光管１を点灯させると、光学フィルター２が設けられた部分から光を放射する。これにより、光照射装置は、１８０度に亘る広角の範囲から光を照射できる。
【００３１】
更にまた、この光照射装置は、発光管１の形状を、波形形状、屈曲形状、螺旋形状を組み合わせてもよい。すなわち、発光管１の長手方向の部位ごとに、波形形状、屈曲形状、螺旋形状にしてもよい。また、波形形状の発光管１を、螺旋形状にしてもよい。さらに、波形形状の発光管１を、図３のように屈曲させてもよい。
【００３２】
以上のように、この光照射装置によれば、棒形形状の発光管１と比較して、３次元的に光を拡散させることができる。特に、発光管１としてキセノンフラッシュランプを使用した場合、当該キセノンフラッシュランプの強い発光を３次元的放射で拡散することができる。また、この光照射装置によれば、１点に対して多方向からの照射が可能になる。更に、この光照射装置によれば、棒形形状の発光管１と比較して、ガラス管１１の距離が長くなるので、１つの発光管１での光強度を高めることができる。
【００３３】
このような光照射装置は、使用者の対象部位のうち、棒状の発光管１では到達できなかった部位の毛根に対しても、光を照射することができる。したがって、この光照射装置は、光照射による抑毛効果等を効率よく発揮させることができる。
【００３４】
例えば、図１０及び図１１に示すように、発光管１は、ハウジング３に内蔵された状態で、かみそり器の外刃２１に併設してもよい。図１０に示す光照射装置は、外刃２１の長手方向に沿って、ハウジング３を設けている。このハウジング３は、外刃２１の長手方向長さと略同じ長さとなっている。このハウジング３には、例えば図３乃至図７に示したガラス管１１を内蔵することができる。また、ハウジング３の内壁は、図３乃至図７に示したようにミラーとすることが望ましい。このような光照射装置を備えたかみそり器は、外刃２１によって髭やその他の身体を剃毛する。同時に、光照射装置は、当該外刃２１が押し当てられた部位を光照射のための対象部位とする。
【００３５】
このハウジング３から発せられた光は、光学フィルター２によって所定の抑毛効果がある波長の光を含む。これにより、このかみそり器は、外刃２１によって剃毛すると共に、当該剃毛した部位に抑毛効果がある光を照射できる。更に、ハウジング３に内蔵された発光管１は、図３乃至図７に示したように、屈曲形状、波形形状、又は、螺旋形状、その組み合わせとなっている。したがって、ハウジング３の上面から発せられた光は、そのままハウジング３の上面から垂直に発光する成分のみならず、他の方向に拡散する光成分も多く含んでいる。したがって、この光照射装置は、剃毛した対象部位に、あらゆる方向からの光を照射できる。
【００３６】
また、光照射装置は、図１１に示すように、外刃２１の長手方向に複数のハウジング３を配置してもよい。この光照射装置は、外刃２１の長手方向に一列に並べて複数のハウジング３を配置している。各ハウジング３には、ガラス管１１が内蔵されている。このガラス管１１は、例えば図８に示すようにガラス管１１を屈曲させて球状構造にしたものである。このガラス管１１をハウジング３に内蔵させ、光学フィルター２は、図９に示したように、ガラス管１１の光照射側に設けられている。この光学フィルター２は、図１１に示したように、ハウジング３の上面から半球状に突出する形状になっている。
【００３７】
このような光照射装置によれば、各発光管１から発せられた光を半球状の光学フィルター２から１８０度の拡散角度を以て放射することできる。したがって、この光照射装置によれば、外刃２１の長手方向のみならず、その他の方向においても、長手方向と同じ強度の光を拡散させることができる。
【００３８】
また、この光照射装置は、かみそり器に設けて、かみそり器による剃毛と同時に光照射する場合には、その光照射方向を自由に変更することはできない。したがって、外刃２１に対して棒状の発光管を設けた場合、外刃２１と光照射方向とが一定の位置関係となってしまう。すなわち、図１０に示したハウジング３に棒状の発光管を設けた場合には、主にハウジング３の上面から上に伸びる光しか照射できない。
【００３９】
これに対し、本実施形態の光照射装置によれば、外刃２１に対して所定の位置に発光管１を設けていても、当該設置した位置関係に拘わらず、発光管１からあらゆる方向に届く光を照射できる。したがって、この光照射装置によれば、外刃２１が皮膚に押し当てられている当該外刃２１の頂点部分及び外刃２１による剃毛がされた直後の皮膚部分の双方に亘って均一の強度の光を照射できる。これにより、光照射装置は、剃毛がされた直後の毛根に対して光を照射できるという効果も発揮できる。
【００４０】
例えば比較例として示す図１２の棒状のガラス管１００のように一方向のみからのみ、対象部位の毛Ｈに対して光Ｌの照射を行っている。したがって、この光Ｌは、毛Ｈの長手方向に沿っているために、毛Ｈの毛根部分といった箇所には届かない可能性がある。
【００４１】
一方、本実施形態の光照射装置によれば、図１３のように、皮膚Ｓに対して屈曲した毛Ｈの毛根であっても、発光管１から様々な方向に進む光Ｌ１，Ｌ２を放射できる。したがって、例えば男性の髭や癖毛のように様々な形状に屈曲した毛Ｈに対しても、毛Ｈの毛根に対して光を照射しやすくなる。すなわち、棒状の発光管１００では届かなかった毛根に対しても光が照射されるようになる。以上のように、光照射装置によれば、発光管１の形状を変更することで、任意の領域に複数の方向から光を照射できる。したがって、この光照射装置によれば、剃毛のために外刃２１を移動させたとしても、対象部位の毛根に対して効率的に光を照射できる。
【００４２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００４３】
１  発光管
２  光学フィルター
３  ハウジング（反射ミラー）
【図１】
2013127850.tif 000003
【図２】
2013127850.tif 000004
【図３】
2013127850.tif 000005
【図４】
2013127850.tif 000006
【図５】
2013127850.tif 000007
【図６】
2013127850.tif 000008
【図７】
2013127850.tif 000009
【図８】
2013127850.tif 000010
【図９】
2013127850.tif 000011
【図１０】
2013127850.tif 000012
【図１１】
2013127850.tif 000013
【図１２】
2013127850.tif 000014
【図１３】
2013127850.tif 000015